(57)【要約】【課題】表示されている情報の視認性を確保しつつ、所定機能のインターフェース形状を容易に操作できること。【解決手段】ユーザインターフェース装置は、第１情報を表示する表示パネルと、表示パネル上に重ねて配置されるタッチパネルと、表示パネル上に重ねて配置され、所定波長の光の投射を受けて可視光で発光する透明パネルと、透明パネルに対し所定波長の光を投射することで、透明パネル上にインターフェース形状を表示させる投射部と、を備える表示部と、表示パネルに第１情報が表示されているときに第１情報に示す機能とは異なる所定機能を操作する要求を受け付けた場合に、第１情報の表示に重畳して、前記タッチパネルを用いて所定機能を操作するためのインターフェース形状を表示するように表示部を制御する制御部と、を備える。【選択図】図１
2020046305.tif 000002
【特許請求の範囲】
【請求項１】
第１情報を表示する表示パネルと、
前記表示パネル上に重ねて配置されるタッチパネルと、
前記表示パネル上に重ねて配置され、所定波長の光の投射を受けて可視光で発光する透明パネルと、
前記透明パネルに対し所定波長の光を投射することで、前記透明パネル上にインターフェース形状を表示させる投射部と、
を備える表示部と、
前記表示パネルに前記第１情報が表示されているときに、前記第１情報に示す機能とは異なる所定機能を操作する要求を受け付けた場合に、前記第１情報の表示に重畳して、前記タッチパネルを用いて前記所定機能を操作するための前記インターフェース形状を表示するように前記表示部を制御する制御部と、
を備えることを特徴とするユーザインターフェース装置。
【請求項２】
請求項１記載のユーザインターフェース装置であって、
前記制御部は、前記表示パネルに前記第１情報が表示されているときに、前記所定機能を操作する要求を受け付けた場合に、前記第１情報の表示サイズを維持しつつ、前記インターフェース形状を表示するように前記表示部を制御する、
ことを特徴とするユーザインターフェース装置。
【請求項３】
請求項１又は２記載のユーザインターフェース装置であって、
前記第１情報は、地図情報であり、前記インターフェース形状は、文字及び線のうちの少なくとも一方で構成される形状である、
ことを特徴とするユーザインターフェース装置。
【請求項４】
請求項３記載のユーザインターフェース装置であって、
前記ユーザインターフェース装置は車両に搭載されており、
前記制御部は、前記表示部において、前記地図情報の表示に重畳して、前記車両の付帯機能を操作するための前記インターフェース形状を表示させる、
ことを特徴とするユーザインターフェース装置。
【請求項５】
請求項１乃至４のうちのいずれか１項記載のユーザインターフェース装置であって、
前記制御部は、
前記第１情報の輝度及びコントラストのうち少なくとも一方を低くするような前記表示部の制御を行う、
ことを特徴とするユーザインターフェース装置。
【請求項６】
請求項５記載のユーザインターフェース装置であって、
前記第１情報は、地図情報であり、
前記制御部は、
前記地図情報における自車両の現在位置周辺以外の領域の輝度及びコントラストのうち少なくとも一方を低くするような前記表示部の制御、を行う、
ことを特徴とするユーザインターフェース装置。
【請求項７】
請求項３、４、及び６のうちいずれか１項記載のユーザインターフェース装置であって、
前記制御部は、前記表示パネルに前記地図情報が表示され、前記所定機能を操作する要求を受け付け、かつ、自車両が所定場所から所定距離以内にある場合に、前記地図情報に重畳して、前記所定機能を操作するためのインターフェース形状を表示するように前記表示部を制御する、
ことを特徴とするユーザインターフェース装置。
【請求項８】
請求項１乃至７のうちいずれか１項記載のユーザインターフェース装置であって、
前記制御部は、前記表示部に前記インターフェース形状を表示させた後、所定時間経過しても、前記インターフェース形状に対して操作が行われない場合、前記インターフェース形状の表示を中止するように前記表示部を制御する、
ことを特徴とするユーザインターフェース装置。
【請求項９】
表示パネルに第１情報を表示するステップと、
前記表示パネルに前記第１情報が表示されているときに、前記第１情報に示す機能とは異なる所定機能を操作する要求を受け付けると、前記表示パネル上に重ねて配置され所定波長の光の投射を受けて可視光で発光する透明パネルに対し所定波長の光を投射することで、前記第１情報の表示に重畳して、前記表示パネル上に重ねて配置されたタッチパネルを用いて前記所定機能を操作するためのインターフェース形状を表示するステップと、
を含む、ことを特徴とするユーザインターフェース装置の処理方法。
【請求項１０】
表示パネルに第１情報を表示する処理と、
前記表示パネルに前記第１情報が表示されているときに、前記第１情報に示す機能とは異なる所定機能を操作する要求を受け付けると、前記表示パネル上に重ねて配置され所定波長の光の投射を受けて可視光で発光する透明パネルに対し所定波長の光を投射することで、前記第１情報の表示に重畳して、前記表示パネル上に重ねて配置されたタッチパネルを用いて前記所定機能を操作するためのインターフェース形状を表示する処理と、
をコンピュータに実行させる、ことを特徴とするユーザインターフェース装置のプログラム。
【発明の詳細な説明】
【技術分野】
【０００１】
本発明は、情報を表示するユーザインターフェース装置、その処理方法及びプログラムに関する。
【背景技術】
【０００２】
経路案内のための地図情報を表示すると共に、地図情報の表示を切替えて、その操作のための複数階層のインターフェース形状を表示するユーザインターフェース装置が知られている（例えば、特許文献１参照）。
【先行技術文献】
【特許文献】
【０００３】
【特許文献１】特開２０１０−０１９６４３号公報
【発明の概要】
【発明が解決しようとする課題】
【０００４】
ところで、上記ユーザインターフェース装置において、例えば、経路案内のための地図情報が表示されているときに、その表示画面上で、エアコン操作などの所定機能の操作を行いたい場合がある。この場合、地図情報の表示から所定機能の操作等を行うためのインターフェース形状の表示に切替えて操作を行うため、ユーザは地図情報を一時的に見ることが出来なくなる。これに対し、表示画面を大きくして、地図情報と所定機能のインターフェース形状とを同時に並べて表示することも考えられる。しかし、ユーザは、地図情報から所定機能のインターフェース形状へ視線を大きく移動させる必要が生じ、操作性の低下に繋がる。
【０００５】
本発明は、このような問題点を解決するためになされたものであり、表示されている情報の視認性を確保しつつ、所定機能のインターフェース形状を容易に操作できるユーザインターフェース装置、その処理方法及びプログラムを提供することを主たる目的とする。
【課題を解決するための手段】
【０００６】
上記目的を達成するための本発明の一態様は、
第１情報を表示する表示パネルと、
前記表示パネル上に重ねて配置されるタッチパネルと、
前記表示パネル上に重ねて配置され、所定波長の光の投射を受けて可視光で発光する透明パネルと、
前記透明パネルに対し所定波長の光を投射することで、前記透明パネル上にインターフェース形状を表示させる投射部と、
を備える表示部と、
前記表示パネルに前記第１情報が表示されているときに、前記第１情報に示す機能とは異なる所定機能を操作する要求を受け付けた場合に、前記第１情報の表示に重畳して、前記タッチパネルを用いて前記所定機能を操作するための前記インターフェース形状を表示するように前記表示部を制御する制御部と、
を備えることを特徴とするユーザインターフェース装置
である。
上記目的を達成するための本発明の一態様は、
表示パネルに第１情報を表示するステップと、
前記表示パネルに前記第１情報が表示されているときに、前記第１情報に示す機能とは異なる所定機能を操作する要求を受け付けると、前記表示パネル上に重ねて配置され所定波長の光の投射を受けて可視光で発光する透明パネルに対し所定波長の光を投射することで、前記第１情報の表示に重畳して、前記表示パネル上に重ねて配置されたタッチパネルを用いて前記所定機能を操作するためのインターフェース形状を表示するステップと、
を含む、ことを特徴とするユーザインターフェース装置の処理方法
であってもよい。
上記目的を達成するための本発明の一態様は、
表示パネルに第１情報を表示する処理と、
前記表示パネルに前記第１情報が表示されているときに、前記第１情報に示す機能とは異なる所定機能を操作する要求を受け付けると、前記表示パネル上に重ねて配置され所定波長の光の投射を受けて可視光で発光する透明パネルに対し所定波長の光を投射することで、前記第１情報の表示に重畳して、前記表示パネル上に重ねて配置されたタッチパネルを用いて前記所定機能を操作するためのインターフェース形状を表示する処理と、
をコンピュータに実行させる、ことを特徴とするユーザインターフェース装置のプログラム
であってもよい。
【発明の効果】
【０００７】
本発明によれば、表示されている情報の視認性を確保しつつ、所定機能のインターフェース形状を容易に操作できるユーザインターフェース装置、その処理方法及びプログラムを提供することができる。
【図面の簡単な説明】
【０００８】
【図１】本発明の実施形態１に係るユーザインターフェース装置の概略的なシステム構成を示すブロック図である。
【図２】表示部の概略的な構成を示す図である。
【図３】投射部及び制御部の概略的なシステム構成を示すブロック図である。
【図４】透明パネル上に表示されるインターフェース形状の一例を示す図である。
【図５】表示パネル上に表示される地図情報の一例を示す図である。
【図６】表示パネルの地図情報上に重畳して透明パネル上に表示されるインターフェース形状の一例を示す図である。
【図７】タッチパネルにおける接触検出領域の一例を示す図である。
【図８】本発明の実施形態１に係るユーザインターフェース装置の処理方法のフローを示すフローチャートである。
【図９】本発明の実施形態３に係るユーザインターフェース装置の処理方法のフローを示すフローチャートである。
【発明を実施するための形態】
【０００９】
実施形態１
以下、図面を参照して本発明の実施形態について説明する。図１は、本発明の実施形態１に係るユーザインターフェース装置の概略的なシステム構成を示すブロック図である。本実施形態１に係るユーザインターフェース装置１は、例えば、自車両の経路案内を行うナビゲーション装置、自車両のエアコン制御装置、及びオーディオ制御装置としての機能を有している。ユーザインターフェース装置１は、図１に示す如く、ナビゲーション情報、エアコン装置やオーディオ装置などの操作情報を表示する表示部２と、表示部２の表示を制御する制御部３と、を有している。
【００１０】
制御部３は、例えば、制御処理、演算処理等を行うＣＰＵ（Central Processing Unit）３ａ、ＣＰＵ３ａによって実行される制御プログラム、演算プログラム等が記憶されたＲＯＭ（Read Only Memory）やＲＡＭ（Random Access Memory）からなるメモリ３ｂ、外部と信号の入出力を行うインターフェース部（Ｉ／Ｆ）３ｃ、などからなるマイクロコンピュータを中心にして、ハードウェア構成されている。ＣＰＵ３ａ、メモリ３ｂ、及びインターフェース部３ｃは、データバスなどを介して相互に接続されている。
【００１１】
図２は、表示部の概略的な構成を示す図である。表示部２は、表示パネル２１と、透明パネル２２と、タッチパネル２３と、投射部２４と、を有している。表示パネル２１は、例えば、矩形状の液晶パネルとして構成されている。表示パネル２１は、例えば、道路、建物、車両の走行経路、現在位置などを含む地図情報を表示する。
【００１２】
ユーザインターフェース装置１が、車両において用いられる場合、表示部２は、例えば車両のダッシュボードやセンターコンソールなどに設置され、投射部２４は、車両の天井などに設置される。
【００１３】
透明パネル２２は、表示パネル２１の上に重ねて配置されている。透明パネル２２は所定波長の光の投光を受けて可視光で発光する発光材料で構成されている。透明パネル２２は、例えば、矩形状に形成された透明の樹脂やガラスに発光材料を挟んだパネルとして構成されている。タッチパネル２３は、透明パネル２２の上に重ねて配置されている。タッチパネル２３は、ユーザの指やユーザが所有する棒状のポインティングデバイスなど（操作手段の一具体例）が接触した接触位置を検出する。タッチパネル２３は、検出した接触位置を制御部３に出力する。タッチパネル２３は、例えば、静電容量型タッチパネルとして構成されている。
【００１４】
投射部２４は、透明パネル２２に対し所定波長の光を投射することで、該透明パネル２２上に地図情報をユーザが操作するためのインターフェース形状を表示させる。インターフェース形状は、文字や図形などで構成される形状である。インターフェース形状は、文字や線で構成された場合、地図情報の視認性を確保した状態でインターフェース形状の操作が可能である。また、インターフェース形状が面で構成される場合であっても、インターフェース形状を透過して地図情報の確認が可能であるため、地図情報の視認性を大きく阻害しない。インターフェース形状は、例えば、エアコン装置５１の温度設定、モード設定、オン／オフ等を操作する、あるいは、オーディオ装置５０の音量、バランス、音質、選曲、再生、停止、早送り、巻戻し等の操作をする、ための矩形状や丸形状などの幾何学的形状の各種の操作ボタンである。
【００１５】
なお、透明パネル２２は、投射部２４からレーザ光の投光を受けて可視光で自発光する。このため、上述の如く、インターフェース形状が面で構成されず、文字や線で構成される形状であってもその視認性を向上させることができる。
【００１６】
図３は、投射部及び制御部の概略的なシステム構成を示すブロック図である。投射部２４は、レーザ光を生成するレーザ光源部２５と、レーザ光源部２５により生成されたレーザ光の走査を行うスキャナ部２６と、を有している。レーザ光源部２５は、紫外光のレーザ光を生成し、生成したレーザ光を出力するレーザ生成部２５１と、レーザ生成部２５１を駆動するレーザドライバ２５２と、を有している。レーザドライバ２５２は、制御部３からの制御信号に応じて、レーザ生成部２５１を駆動し、レーザ生成部２５１からレーザ光を出力させる。
【００１７】
スキャナ部２６は、レーザ生成部２５１から出力されたレーザ光を反射することで透明パネル２２上にレーザ光を走査するレーザ走査部２６１と、レーザ走査部２６１を駆動する走査駆動部２６２と、を有している。
【００１８】
レーザ走査部２６１は、レーザ生成部２５１から出力されたレーザ光を第２ミラー２６４に向けて反射する第１ミラー２６３と、第１ミラー２６３から反射されたレーザ光を透明パネル２２に向けて反射する第２ミラー２６４と、を有している。
【００１９】
走査駆動部２６２は、第２ミラー２６４を駆動し、その角度を変更することで、第２ミラー２６４から反射されたレーザ光を透明パネル２２上に走査する。走査駆動部２６２は、サーボモータなどで構成されている。走査駆動部２６２は、制御部３からの制御信号に応じて、第２ミラー２６４の角度を変更し、第２ミラー２６４からのレーザ光を透明パネル２２上に走査する。
【００２０】
制御部３は、表示パネル２１を制御する表示制御部３１と、操作情報を受け付ける操作受付部３２と、投射部２４を制御する投射制御部３３と、ナビゲーション処理を行うナビゲーション処理部３４と、車両情報を取得する車両情報取得部３５と、オーディオ装置５０を制御するオーディオ制御部３６と、エアコン装置５１を制御するエアコン制御部３７と、を有している。
【００２１】
表示制御部３１は、表示パネル２１を制御して、表示パネル２１上に地図情報などの画像を表示させる。操作受付部３２には、タッチパネル２３により検出された接触位置および、操作入力部４１において入力された情報が入力される。
【００２２】
投射制御部３３は、スキャナ部２６の走査駆動部２６２に対し制御信号を送信することで、走査駆動部２６２を制御する。投射制御部３３は、走査駆動部２６２を制御することで、透明パネル２２上におけるレーザ光の走査を制御する。
【００２３】
投射制御部３３は、スキャナ部２６によるレーザ光の走査によって、インターフェース形状が描画されるようなレーザ光の出力となるように、レーザ光源部２５のレーザドライバ２５２を制御する。
【００２４】
投射制御部３３は、レーザドライバ２５２および走査駆動部２６２を制御してレーザ光を透明パネル２２上に走査することで、透明パネル２２上にエアコン機能やオーディオ機能などの所定機能を操作するためのインターフェース形状を表示させる。インターフェース形状は、例えば、図４に示す如く、エアコン装置５１の操作を行うために形成された各種のボタン（「ＡＵＴＯ」、「ＯＦＦ」、「Ａ／Ｃ」など）やバーなどである。
【００２５】
例えば、ユーザの指が「ＡＵＴＯ」のボタンに接触すると、タッチパネル２３がその接触位置を検出し、検出した接触位置を操作受付部３２に出力する。操作受付部３２は入力された接触位置をエアコン制御部３７に出力する。エアコン制御部３７は、操作受付部３２からの接触位置「ＡＵＴＯ」に基づいて、エアコン装置５１を制御して、車室内を設定された温度に自動調整する。
【００２６】
ユーザの指が「ＯＦＦ」のボタンに接触すると、タッチパネル２３がその接触位置を検出し、検出した接触位置を操作受付部３２に出力する。操作受付部３２は入力された接触位置をエアコン制御部３７に出力する。エアコン制御部３７は、操作受付部３２からの接触位置「ＯＦＦ」に基づいて、エアコン装置５１をオフ状態に制御する。
【００２７】
ナビゲーション処理部３４は、自車両のナビゲーション処理を実行する。ナビゲーション処理部３４は、自車両の現在位置情報を取得する現在位置情報取得部３４１と、地図情報を取得する地図情報取得部３４２と、自車両の走行経路を設定する経路設定部３４３と、を有している。
【００２８】
現在位置情報取得部３４１は、ＧＰＳ（Global  Positioning  System)受信部４２により受信されたＧＰＳ衛星から送信される電波の到達時間に基づき、自車両の現在位置情報（緯度情報、経度情報、標高情報など）を算出する。地図記憶部４３は、予め地図情報を記憶している。地図情報取得部３４２は、地図記憶部４３から地図情報を取得する。
【００２９】
経路設定部３４３は、現在位置情報取得部３４１により取得された現在位置情報と、地図情報取得部３４２により取得された地図情報と、に基づいて、自車両の現在位置から設定された目的地までの走行経路を設定する。経路設定部３４３は、例えば、自車両の現在位置から設定された目的地までの最短時間あるいは最短距離となる走行経路を設定する。
【００３０】
表示制御部３１は、経路案内のために、現在位置情報取得部３４１により取得された現在位置情報、地図情報取得部３４２により取得された地図情報、及び、経路設定部３４３により設定された走行経路を、表示パネル２１上に表示させる。
【００３１】
車両情報取得部３５は、ＣＡＮ（Controller  Area  Network）４４等の車載ＬＡＮ（Local  Area  Network）を介して、自車両のセンサ情報などの車両情報を取得する。
【００３２】
オーディオ制御部５０は、音源データ４９に基づいて、オーディオ装置５０を制御し、オーディオ装置５０から音楽などを出力させる。オーディオ装置５０は、例えば、スピーカ、アンプなどで構成されている。エアコン制御部３７は、エアコン装置５１を制御して車室内の温度を調整する。エアコン装置５１は、コンプレッサーなどで構成されている。なお、制御部３には、ＤＤＲメモリ４５、Ｆｌａｓｈメモリ４６、ＥＥＰＲＯＭ４８などの記憶部が接続されていてもよい。
【００３３】
ところで、例えば、経路案内のための地図情報が表示されているときに、その表示画面上で、エアコン操作などの所定機能の操作を行いたい場合がある。この場合、地図情報の表示から所定機能の操作等を行うためのインターフェース形状の表示に切替えて操作を行うため、ユーザは地図情報を一時的に見ることが出来なくなる。特に、地図情報において、車両走行中に、自車の現在位置によって随時表示される情報（範囲）は、変化する。このため、インターフェース形状が表示されることで、地図情報が表示されない場合、地図情報による現在位置の確認や、現在位置に対する周辺施設の確認に支障が生じ得る。
【００３４】
なお、表示画面を大きくして、地図情報と所定機能のインターフェース形状とを同時に並べて表示することも考えられる。しかし、ユーザは、地図情報から所定機能のインターフェース形状へ視線を大きく移動させる必要が生じ、操作性の低下に繋がる。
【００３５】
これに対し、本実施形態１において、制御部３は、表示部２に地図情報が表示されているときに所定機能を操作する要求を受け付けた場合に、表示部２の地図情報に重畳して、所定機能を操作するためのインターフェース形状を表示するように表示部２を制御する。
【００３６】
これにより、表示部２に、地図情報を表示しつつ、さらに、この地図情報に重畳して所定機能を操作するためのインターフェース形状を表示することができる。したがって、地図情報を見つつ、このインターフェース形状に対しても視線をほとんど動かすことなく容易に操作を行うことができる。すなわち、表示されている情報の視認性を確保しつつ、所定機能のインターフェース形状を容易に操作できる。
【００３７】
上記所定機能は、例えば、オーディオ機能、エアコン機能、窓開閉機能、電話の着信時などにおける通話のハンズフリー応答機能、走行モード切替機能、ドアロック機能、などの車両の付帯機能である。
【００３８】
オーディオ機能やエアコン機能などの所定機能の操作は、車両のハンドルに設けられたステアリング操作部やステアリングリモコンなどを介して要求されてもよい。例えば、ステアリング操作部やステアリングリモコンには、オーディオ機能、エアコン機能などの操作を要求するためのボタンが設けられている。ユーザがこのボタンを押圧すると、ステアリング操作部やステアリングリモコンは、オーディオ機能、エアコン機能などの所定機能の操作要求信号を、操作受付部３２に対して無線又は有線を介して送信する。なお、ステアリング操作部やステアリングリモコンは、任意のボタンが押圧されると、その操作要求信号を、操作受付部３２に対して送信してもよい。操作受付部３２は、受信した操作要求信号を制御部３の投射制御部３３に出力する。
【００３９】
投射制御部３３は、表示パネル２１に地図情報が表示されているときに、操作受付部３２から所定機能の操作要求信号を受信すると、表示パネル２１の地図情報に重畳して、透明パネル２２上に操作要求信号に対応したインターフェース形状を表示するように投射部２４を制御する。投射制御部３３は、例えば、エアコン機能の操作要求信号を受信すると、図６に示す如く、表示パネル２１の地図情報に重畳して、透明パネル２２上にエアコン機能に対応したインターフェース形状を表示させる。
【００４０】
なお、操作入力部４１は音声認識機能を有していてもよい。操作入力部４１はマイクなどを介して入力されたユーザの音声に基づいて音声認識処理を行い、ユーザが要求する所定機能を認識する。操作入力部４１は、認識した所定機能（オーディオ機能、エアコン機能など）の操作要求信号を、操作受付部３２に対して無線又は有線を介して送信する。操作受付部３２は、受信した操作要求信号を制御部３の投射制御部３３に出力する。なお、上記所定機能の操作要求信号の出力方法は一例であり、これに限定されず任意の方法で選択可能である。
【００４１】
例えば、図５に示す如く、制御部３の表示制御部３１は、地図情報を表示パネル２１上に表示させている。投射制御部３３は、表示パネル２１に地図情報が表示されているときに、エアコン機能の操作要求信号を受けると、図６に示す如く、表示パネル２１の地図情報上に重畳して、透明パネル２２上にエアコン機能を操作するためのインターフェース形状（操作ボタンなど）を表示するように投射部２４を制御する。
【００４２】
この場合、図７に示す如く、タッチパネル２３において、透明パネル２２の各操作ボタン（「ＡＵＴＯ」、「ＯＦＦ」、「Ａ／Ｃ」など）の対応する位置にそれぞれの接触検出領域が配置される。したがって、ユーザは、タッチパネル２３において、指などを各操作ボタンに接触させることで、各操作ボタンに対応した操作を行うことができる。
【００４３】
一方で、タッチパネル２３において、各操作ボタンの接触検出領域以外の領域は、地図情報の接触検出領域となっている。したがって、ユーザは、タッチパネル２３において、指などを地図情報に接触させることで、地図情報に対しても操作を行うことができる。すなわち、各操作ボタンの操作と、地図情報の操作とを同一画面上で操作を行うことができる。
【００４４】
投射制御部３３は、表示パネル２１に地図情報が表示されているときに、所定機能を操作する要求を受け付けると、表示パネル２１の地図情報の表示サイズを維持しつつ、表示パネル２１の地図情報に重畳して、透明パネル２２上に所定機能のインターフェース形状を表示するように投射部２４を制御するのが好ましい。これにより、地図情報の視認性を十分に確保した状態で、この地図情報に重畳して所定機能のインターフェース形状を表示し、インターフェース形状に対しても容易に操作を行うことができる。
【００４５】
投射制御部３３は、表示パネル２１に地図情報が表示されているときに、所定機能を操作する要求を受け付けると、表示パネル２１の地図情報の表示サイズを縮小し、縮小した地図情報に重畳して、透明パネル２２上に所定機能のインターフェース形状を表示するように投射部２４を制御してもよい。これにより、地図情報を表示画面上のより見易い位置に移動させつつ、所定機能のインターフェース形状に対しても操作を行うことができる。
【００４６】
なお、本実施形態１において、上述の如く、表示パネル２１上に重ねて透明パネル２２を配置し、投射部２４よって透明パネル２２に対しレーザ光を投射することで、表示パネル２１の地図情報に重畳して、透明パネル２２上に所定機能のインターフェース形状を表示させている。これにより、ユーザは、表示パネル２１の地図情報を、透明パネル２２上で自発光している所定機能のインターフェース形状の下に透けて見ることができる。したがって、所定機能のインターフェース形状を構成する線や面で地図情報が部分的に隠れその視認性が阻害されることなく、ユーザは、所定機能のインターフェース形状と地図情報とを同時かつ明確に認識できる。
【００４７】
図８は、本実施形態１に係るユーザインターフェース装置の処理方法のフローを示すフローチャートである。
【００４８】
投射制御部３３は、表示パネル２１上に地図情報が表示されているか否かを判断する（ステップＳ１０１）。
【００４９】
投射制御部３３は、表示パネル２１上に地図情報が表示されていると判断したとき（ステップＳ１０１のＹＥＳ）、所定機能を操作する要求を受け付けたか否かを判断する（ステップＳ１０２）。一方、投射制御部３３は、表示パネル２１上に地図情報が表示されていないと判断したとき（ステップＳ１０１のＮＯ）、本処理を終了する。本処理の終了とは、ステップＳ１０１で表示された地図情報の表示を継続することである。
【００５０】
投射制御部３３は、所定機能を操作する要求を受け付けたと判断したとき（ステップＳ１０２のＹＥＳ）、透明パネル２２に所定機能を操作するための操作ボタンを表示するように投射部２４を制御する（ステップＳ１０３）。一方、投射制御部３３は、所定機能を操作する要求を受け付けていないと判断したとき（ステップＳ１０２のＮＯ）、本処理を終了する。
【００５１】
投射制御部３３は、透明パネル２２上に操作ボタンが表示されてから所定時間以内に、透明パネル２２の操作ボタンに対して操作が行われたか否かを判断する（ステップＳ１０４）。
【００５２】
投射制御部３３は、所定時間以内に、透明パネル２２の操作ボタンに対して操作が行われたと判断すると（ステップＳ１０４のＹＥＳ）、投射制御部３３又は制御部３は操作ボタンに対応した表示を行うように、オーディオ制御部３６又はエアコン制御部３７を制御する（ステップＳ１０５）。
【００５３】
一方、投射制御部３３は、所定時間以内に、透明パネル２２の操作ボタンに対して操作が行われていないと判断すると（ステップＳ１０４のＮＯ）、透明パネル２２上の操作ボタンの表示を中止するように投射部２４を制御する（ステップＳ１０６）。ユーザに対して表示パネル２１上の地図情報のみが表示される。このように、一定時間が経過しても、透明パネル２２の操作ボタンに対して操作が行われていない場合、その操作ボタンの表示が不要と考えられるため、上述のように、地図情報のみの表示に自動的に戻す。これにより、ユーザが画面切替え操作を行う必要がないため、ユーザの利便性が向上する。
【００５４】
以上、本実施形態１において、制御部３は、表示部２に地図情報が表示されているときに所定機能を操作する要求を受け付けた場合に、表示部２の地図情報に重畳して、所定機能を操作するためのインターフェース形状を表示するように表示部２を制御する。これにより、表示されている情報の視認性を確保しつつ、所定機能のインターフェース形状を容易に操作できる。
【００５５】
実施形態２
本発明の実施形態２において、制御部３は、表示部２に所定機能のインターフェース形状が表示されている時、地図情報の輝度及びコントラストのうち少なくとも一方を低くするような表示部２の制御を行う。これにより、地図情報よりも所定機能のインターフェース形状をより明確に表示することができるため、ユーザは所定機能のインターフェース形状に対してより容易に操作を行うことができる。
【００５６】
例えば、制御部３の表示制御部３１は、地図情報の輝度が通常より低くなるように表示パネル２１を制御しつつ、投射制御部３３は、所定機能のインターフェース形状の輝度が通常となるように投射部２４を制御する。
【００５７】
ユーザは、通常、地図情報において、自車両の現在位置周辺の領域を注視している。このため、制御部３は、地図情報における自車両の現在位置周辺以外の領域の輝度が低くなるように、表示部２を制御してもよい。また、地図情報における自車両の現在位置周辺から離間するほど輝度が低くなるように、表示部２を制御してもよい。ここで、自車両の現在位置周辺の領域とは、例えば、自車両の現在地点から所定距離以内の領域を指すものとする。
【００５８】
これにより、地図情報の中でユーザが注視する自車両の現在位置周辺の領域を明確に表示しつつ、自車両の現在位置周辺以外の領域よりも所定機能のインターフェース形状をより明確に表示することができる。したがって、ユーザは、地図情報における自車両の現在位置周辺の領域を明確に認識しつつ、所定機能のインターフェース形状に対してより容易に操作を行うことができる。
【００５９】
例えば、制御部３の表示制御部３１は、地図情報において自車両の現在位置周辺の領域の輝度が通常となり、自車両の現在位置周辺以外の領域の輝度が通常より低くなるように表示パネル２１を制御する。
【００６０】
なお、制御部３の表示制御部３１は、地図情報において自車両の現在位置周辺の領域の輝度が通常より高くなり、自車両の現在位置周辺以外の領域の輝度が通常となるように表示パネル２１を制御してもよい。
【００６１】
また、制御部３の表示制御部３１は、地図情報において自車両の現在位置周辺の領域の輝度が通常より高くなり、自車両の現在位置周辺以外の領域の輝度が通常より低くなるように表示パネル２１を制御してもよい。
【００６２】
例えば、制御部３は、実験的に求めた、ユーザがインターフェース形状を視認し易くなる最適値が、上述した、地図情報の輝度及びコントラストの低下量または増加量として、上記メモリ３ｂなどに設定されている。さらには、表示パネル周辺の輝度を測定する図示しない輝度センサの出力値によって設定することとしてもよい。本実施形態２において、上記実施形態１と同一部分には同一符号を付して詳細な説明は省略する。
【００６３】
実施形態３
本発明の実施形態３において、制御部３は、表示部２に地図情報が表示され、所定機能を操作する要求を受け付け、かつ、自車両の現在位置が所定場所から所定距離以内にあると判断した場合、表示部２の地図情報に重畳して、所定機能を操作するためのインターフェース形状を表示するように表示部２を制御する。所定場所は、例えば、自車両の目的地、道路の交差点、分岐などである。
【００６４】
制御部３の投射制御部３３は、例えば、ナビゲーション処理部３４から出力される自車両の現在位置情報と地図情報とに基づいて、自車両の現在位置が所定場所から所定距離以内で、所定場所近傍にあるか否かを判断する。
【００６５】
ユーザは、通常、自車両の目的地、道路の交差点、分岐などの所定場所近傍で、地図情報を参照する。したがって、制御部３は、ユーザが地図情報を参照する、自車両が所定場所近傍にあるタイミングでのみ、表示部２に地図情報に重畳して、所定機能のインターフェース形状を表示させる。これにより、ユーザが地図情報を参照するタイミングでのみ、地図情報を表示させつつ、地図情報に重畳して所定機能のインターフェース形状を表示させることができる。一方、ユーザが地図情報を参照しないタイミングでは、所定機能のインターフェース形状のみが表示されるため、ユーザは所定機能のインターフェース形状に対してより容易に操作を行うことができる。
【００６６】
図９は、本実施形態３に係るユーザインターフェース装置の処理方法のフローを示すフローチャートである。
【００６７】
投射制御部３３は、表示パネル２１上に地図情報が表示されているか否かを判断する（ステップＳ３０１）。
【００６８】
投射制御部３３は、表示パネル２１上に地図情報が表示されていると判断したとき（ステップＳ３０１のＹＥＳ）、所定機能の操作要求信号を受信したか否かを判断する（ステップＳ３０２）。一方、投射制御部３３は、表示パネル２１上に地図情報が表示されていないと判断したとき（ステップＳ３０１のＮＯ）、本処理を終了する。本処理の終了とは、ステップＳ３０１で表示された地図情報の表示を継続することである。
【００６９】
投射制御部３３は、所定機能の操作要求信号を受信したと判断したとき（ステップＳ３０２のＹＥＳ）、自車両の現在位置が所定場所（目的地、交差点、分岐など）から所定距離以内であるか否かを判断する（ステップＳ３０３）。一方、投射制御部３３は、所定機能の操作要求信号を受信していないと判断したとき（ステップＳ３０２のＮＯ）、本処理を終了する。
【００７０】
投射制御部３３は、自車両の現在位置が所定場所から所定距離以内であると判断すると（ステップＳ３０３のＹＥＳ）、透明パネル２２に所定機能を操作するための操作ボタンを表示するように投射部２４を制御する（ステップＳ３０４）。投射制御部３３は、自車両の現在位置が所定場所から所定距離以内でないと判断すると（ステップＳ３０３のＮＯ）、本処理を終了する。
【００７１】
本実施形態３において、図９におけるステップＳ３０４、ステップＳ３０５、ステップＳ３０６およびステップＳ３０７の処理は、図８におけるステップ１０３、ステップＳ１０４、ステップＳ１０５およびステップＳ１０６の処理と同一であるため、説明を省略する。また、上記実施形態１及び実施形態２と同一部分には同一符号を付して詳細な説明は省略する。
【００７２】
本発明のいくつかの実施形態を説明したが、これらの実施形態は、例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００７３】
本発明は、例えば、図８及び図９に示す処理を、ＣＰＵにコンピュータプログラムを実行させることにより実現することも可能である。
【００７４】
プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。
【００７５】
プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【００７６】
１  ユーザインターフェース装置、２  表示部、３  制御部、２１  表示パネル、２２  透明パネル、２３  タッチパネル、２４  投射部、２５  レーザ光源部、２６  スキャナ部、３１  表示制御部、３２  操作受付部、３３  投射制御部、３４  ナビゲーション処理部、３５  車両情報取得部、３６  オーディオ制御部、３７  エアコン制御部、４１  操作入力部、４２  ＧＰＳ受信部、４３  地図記憶部、４４  ＣＡＮ、４５  ＤＤＲメモリ、４６  Ｆｌａｓｈメモリ、４８  ＥＥＰＲＯＭ、４９  音源データ、５０  オーディオ装置、５１  エアコン装置、２５１  レーザ生成部、２５２  レーザドライバ、２６１  レーザ走査部、２６２  走査駆動部、２６３  第１ミラー、２６４  第２ミラー、３４１  現在位置情報取得部、３４２  地図情報取得部、３４３  経路設定部
【図１】
2020046305.tif 000003
【図２】
2020046305.tif 000004
【図３】
2020046305.tif 000005
【図４】
2020046305.tif 000006
【図５】
2020046305.tif 000007
【図６】
2020046305.tif 000008
【図７】
2020046305.tif 000009
【図８】
2020046305.tif 000010
【図９】
2020046305.tif 000011